(57)【要約】【課題】肌触りが良く、フィット性に優れた防漏壁を備え、装着感及び漏れ防止性に優れた吸収性物品を提供すること。【解決手段】本発明の吸収性物品１は、表面シート２、裏面シート３及びこれら両シート２，３間に位置する吸収体４を有し、実質的に縦長である。吸収性物品１の長手方向の両側それぞれに中空ループ状の防漏壁６，６’を有し、該各防漏壁６，６’は、防漏壁形成用のシート材６１が吸収体４の肌当接面側に固定されて形成された上方固定端６ａと、該シート材６１が該上方固定端６ａより裏面シート３側に位置する部位に固定されて形成された下方固定端６ｂとを有しており、吸収性物品１の幅方向における防漏壁６，６’それぞれの外方に、防漏壁６，６’の下半部に面接するように起立した支持壁７，７’を有している。【選択図】図２
2010094267.tif 000002
【特許請求の範囲】
【請求項１】
表面シート、裏面シート及びこれら両シート間に位置する吸収体を有する実質的に縦長の吸収性物品であって、
吸収性物品の長手方向の両側それぞれに中空ループ状の防漏壁を有し、該防漏壁は、防漏壁形成用のシート材が前記吸収体の肌当接面側に固定されて形成された上方固定端と、該シート材が該上方固定端より前記裏面シート側に位置する部位に固定されて形成された下方固定端とを有しており、
吸収性物品の幅方向における前記防漏壁それぞれの外方に、該各防漏壁の下半部に面接するように起立した支持壁を有している吸収性物品。
【請求項２】
前記支持壁は、吸収性物品の長手方向における、排泄部領域と後端部との間に位置する後方領域に形成されている請求項１記載の吸収性物品。
【請求項３】
前記防漏壁の前記下方固定端から前記支持壁の上端までの高さＨ１が、該下方固定端から該防漏壁の上端までの高さＨ２の１０〜５０％である、請求項１又は２記載の吸収性物品。
【請求項４】
前記支持壁が、排泄部領域、及び該排泄部領域と後端部との間に位置する後方領域に形成されており、前記排泄部領域における該支持壁の高さが、前記後方領域における該支持壁の高さより低い、請求項１〜３の何れかに記載の吸収性物品。
【請求項５】
前記支持壁は、前記防漏壁に沿って起立する起立部分と、屈曲部を介して該起立部分に連設され、前記裏面シートに接合された非起立部分とからなる、請求項１〜４の何れかに記載の吸収性物品。
【発明の詳細な説明】
【技術分野】
【０００１】
本発明は、生理用ナプキンや失禁パッド等の吸収性物品に関する。
【背景技術】
【０００２】
従来、着用中に経血等の体液が幅方向に移動して側縁部から漏れてしまう横漏れを防止するため、長手方向両側縁部それぞれに防漏壁を設けた生理用ナプキンが知られている。
また、防漏壁の着用者へのフィット性を高める為に、中空のループ形状の防漏壁を設けることもれている（引用文献１参照）。
しかし、従来の中空ループ形状の防漏壁は、柔軟である反面、着用中に着用者の体圧を受けて押し潰され易く、押し潰される程度が大きいと、良好な横漏れ防止性やフィット性が損なわれる場合がある。
他方、中空ループ形状の防漏壁を硬くして潰れにくくした場合には、肌触り等の装着感が悪化する。
【０００３】
特許文献２には、体液排出部対応部位において起立する立体ギャザー構成要素と、臀部側対応部位において起立する立体ギャザー構成要素とを、重なり範囲が重なり代を有するように、吸収性物品の長手方向に位置をずらして設けた吸収性物品が提案されている。
しかし、その吸収性物品における立体ギャザーは、いずれも中空のループ形状の防漏壁を形成するものではなく、また、２組の立体ギャザー同士が互いの起立性を向上させるものでもない。
【０００４】
【特許文献１】特開平１１−２９９８２１号公報
【特許文献２】特開２００６−２８０５８３号公報
【発明の開示】
【発明が解決しようとする課題】
【０００５】
従って、本発明の目的は、肌触りが良く、フィット性に優れた防漏壁を備え、装着感及び漏れ防止性に優れた吸収性物品を提供することにある。
【課題を解決するための手段】
【０００６】
本発明は、表面シート、裏面シート及びこれら両シート間に位置する吸収体を有する実質的に縦長の吸収性物品であって、吸収性物品の長手方向の両側それぞれに中空ループ状の防漏壁を有し、該防漏壁は、防漏壁形成用のシート材が前記吸収体の肌当接面側に固定されて形成された上方固定端と、該シート材が該上方固定端より前記裏面シート側に位置する部位に固定されて形成された下方固定端とを有しており、吸収性物品の幅方向における前記防漏壁それぞれの外方に、該各防漏壁の下半部に面接するように起立した支持壁を有している吸収性物品を提供することにより前記目的を達成したものである。
【発明の効果】
【０００７】
本発明の吸収性物品は、肌触りが良く、フィット性に優れた防漏壁を備えており、装着感及び漏れ防止性に優れている。
【発明を実施するための最良の形態】
【０００８】
以下、本発明をその好ましい実施形態に基づいて説明する。
本実施形態の生理用ナプキン１は、図１に示すように、生理用ナプキン１の長手方向に延びる中心線ＣＬに対して左右対称に形成されている。従って、以下には、主として生理用ナプキン１の図１中右側の構成について詳述し、左側の構成については、適宜説明を省略する。右側の構成要素に対応する左側の構成要素には、符号にダッシュ（’）を付してある。
【０００９】
本実施形態の生理用ナプキン１は、図１〜図３に示すように、表面シート２、裏面シート３及び両シート２，３間に位置する吸収体４を有し、実質的に縦長に形成されている。そして、生理用ナプキン１の長手方向の両側それぞれに中空ループ状の防漏壁６，６’を有している。
防漏壁６，６’それぞれは、伸縮性シート６１（防漏壁形成用のシート材）が、吸収体４の肌当接面上に固定されて形成された上方固定端６ａと、該伸縮性シート６１が、該上方固定端６ａより裏面シート３側に位置する部位に固定されて形成された下方固定端６ｂとを有しており、生理用ナプキン１の幅方向における防漏壁６，６’それぞれの外方に、各防漏壁６，６’の下半部に面接するように起立した支持壁７，７’（一方のみ図示）を有している。
【００１０】
本実施形態の生理用ナプキン１について更に詳述する。
生理用ナプキン１は、図２に示すように、液透過性の表面シート２、液不透過性又は撥水性の裏面シート３、及び該両シート間２，３に位置する吸収体４を有している。表面シート２、裏面シート３及び吸収体４は、積層一体化されて吸収性本体５を構成している。防漏壁６，６’それぞれは、吸収性本体５の長手方向の両側部５ａ，５ａ’に、伸縮性シート６１を接合して形成されている。吸収体４は、下部吸収層４２と、該下層吸収層４２上に積層された小型の上部吸収層４１とを有する。
【００１１】
吸収体４とその肌側の面を被覆する表面シート２との間は、図示しない接着剤及び防漏溝９によって接合されている。また、吸収体４と裏面シート３との間は、ナプキン１の幅方向中央領域において接着剤９１によって接合されている。
生理用ナプキン１は、実質的に縦長の形状を有している。実質的に縦長の形状は、ウイング部を除いた部分が縦長であれば良い。
生理用ナプキン１は、その長手方向における中央部より前寄りの位置に一対のウイング部８，８’を有している。ウイング部８，８’それぞれの裏面には、該ウイング部８，８’を、ショーツのクロッチ部の非肌対向面に固定するための粘着部（図示せず）が形成されている。
【００１２】
防漏壁６，６’は、生理用ナプキン１の長手方向におけるウイング部８，８’を有する領域である排泄部領域Ａ及び該排泄部領域Ａよりやや後方に位置する後方領域Ｂにおいて少なくとも起立している。
排泄部領域Ａは、吸収性物品（生理用ナプキン１）の幅方向中央部に、着用者の液排泄部（膣口）が対向配置される部位である。本実施形態の生理用ナプキン１のように、ウイング部８，８’を有する吸収性物品における排泄部領域Ａは、通常、吸収性物品（生理用ナプキン１）の長手方向においてウイング部８，８’を有する領域である。
後方領域Ｂは、吸収性物品（生理用ナプキン１）の長手方向において、排泄部領域Ａと後端部Ｄとの間に位置する部位である。本実施形態の生理用ナプキン１のように、ウイング部８，８’を有する吸収性物品における後方領域Ｂは、吸収性物品（生理用ナプキン１）の長手方向においてウイング部８，８’を有する領域Ａに隣接してその後方に位置する長さ７ｃｍ程の領域である。
【００１３】
生理用ナプキン１における防漏壁６，６’は、吸収性本体５の長手方向の両側部５ａ，５ａ’それぞれに、帯状の伸縮性シート６１（防漏壁形成用のシート材）を接合して形成されている。
後方領域Ｂにおける伸縮性シート６１は、図２に示すように、長手方向の一側縁部６ｄ（側縁６ｃから所定幅の部分）が、図示しない接着剤を介して吸収体４の肌当接面側、より詳細には吸収体４の肌当接面側を被覆する表面シート２上に接合されている。上述した上方固定端６ａは、伸縮性シート６１における、吸収体４の肌当接面側に接合されている部分６ｄの端であり、防漏壁６の幅方向の一端である。
また、後方領域Ｂにおける伸縮性シート６１は、図２に示すように、長手方向の他側縁部６ｆ（側縁６ｅから所定幅の部分）が、図示しない接着剤を介して吸収体４の非肌当接面側に接合されている。上述した下方固定端６ｂは、伸縮性シート６１における、吸収体４の肌当接面側及び／又は裏面シート３の肌当接面側に接合されている部分６ｆの端であり、防漏壁６の幅方向の他端である。伸縮性シート６１の両側縁部６ｄ，６ｆの固定方法としては、任意の接合手段を用いることができ、例えば、ヒートシール、超音波シール、高周波シール、これらと接着剤との組み合わせ等を用いることもできる。
【００１４】
生理用ナプキン１においては、図３に示すように、排泄部領域Ａにおいても、伸縮性シート６１が、後方領域Ｂにおけるのと同様の態様で、吸収性本体５に固定されている。
【００１５】
防漏壁６，６’を形成する伸縮性シート６１は、それぞれ、長手方向の両端部が、生理用ナプキン１の長手方向の前後端部Ｃ，Ｄにおいて吸収性本体５に固定されており、長手方向の両側縁部６ｄ、６ｆ及び長手方向の両端部が固定された状態の伸縮性シート６１が長手方向に収縮することで、ナプキン１が図１に示すように湾曲すると共に、後方領域Ｂ及び排泄部領域Ａそれぞれにおいて、伸縮性シート６１の上方固定端６ａと下方固定部６ｂとの間が、断面ループ状をなすように起立する。それにより、生理用ナプキン１の長手方向の両側それぞれに、中空のループ状の防漏壁６，６’が形成されている。
【００１６】
防漏壁６，６’は、生理用ナプキン１の厚み方向Ｚ（図２参照）において、上方固定端６ａより上方に位置する部分６Ｕと、該上方固定端６ａより下方に位置する部分６Ｄとを有している。また、防漏壁６，６’は、幅方向の断面形状が上方に向けて凸の円弧状の頂部６Ｔを有している。防漏壁６，６’の下半部は、防漏壁６，６’における、下方固定端６ｂから上端６Ｓまでの高さＨ２を２等分する高さ位置より下方に位置する部分である。
【００１７】
生理用ナプキン１に用いた伸縮性シート６１は、図２及び図３に示すように、実質的に非伸長性の２枚のシート６２，６３が、両者間に複数本の弾性部材６４を伸長状態で挟んだ状態で、ホットメルト型接着剤等の接着剤を介して貼り合わされてなる複合シートである。２枚のシート６２，６３は、同形同大である。各伸縮性シート６１に配された複数本の弾性部材６４は、相互間に間隔を設けて配されており、それぞれ、防漏壁６，６’の長手方向に沿って延びており、後方領域Ｂ及び排泄部領域Ａの全長に亘る長さを有している。２枚のシート６２，６３は、少なくとも肌に当接する外側のシート６２が不織布からなることが好ましく、何れか一方又は両方が撥水性又は液不透過性であることが好ましい。
【００１８】
本実施形態の生理用ナプキン１は、幅方向における防漏壁６，６’それぞれの外方に、該各防漏壁６，６’の下半部に面接するように起立した支持壁７，７’（一方のみ図示）を有している。
支持壁７，７’それぞれは、支持壁形成用のシート材７１を、裏面シート３における、吸収体４の側縁より外方に延出した延出部３１に固定して形成されている。
支持壁形成用のシート材７１は、裏面シート３の延出部３１に接合されている非起立部分７ａと、延出部３１から離れて、防漏壁６，６’の外面に沿うように起立している起立部分７ｂとを有している。シート材７１は、吸収性本体５及びナプキン１の長手方向と同方向に長い形状を有しており、実質的に非伸長性の２枚のシート７２，７３が、両者間に複数本の弾性部材７４を伸長状態で挟んだ状態で、ホットメルト型接着剤等の接着剤を介して貼り合わされてなる。弾性部材７４は、長手方向の一側縁７ｃから所定幅の部分に偏在しており、起立部分７ｂのみに配されている。２枚のシート７２，７３は、同形同大である。各シート材７１に配された複数本の弾性部材７４は、相互間に間隔を設けて配されており、複数本の弾性部材７４に亘る部分が、防漏壁６，６’の外面に面接している。２枚のシート７２，７３は、一方又は双方が不織布からなることが好ましい。シート６２，６３の一方又は双方、２枚のシート７２，７３の一方又は双方を不織布以外の材料から形成する場合の該材料としては、樹脂フィルム、ポリウレタン製のシート等が挙げられる。２枚のシート７２，７３も、何れか一方又は両方が撥水性又は液不透過性であることが好ましい。
【００１９】
支持壁７を形成するシート材７１は、それぞれ、長手方向の両端部が、生理用ナプキン１の長手方向の前後端部Ｃ，Ｄにおいて吸収性本体５に固定されており、前述した非接合部分７ａ及び長手方向の両端部が固定された状態のシート材７１が長手方向に収縮することで、後方領域Ｂ及び排泄部領域Ａにおけるシート材７１の前述した起立部分７ｂが、防漏壁６，６’を支えるように起立し、それによって、防漏壁６，６’の下半部に面接するように起立した支持壁７，７’が形成されている。尚、支持壁７，７’の起立部分７ｂは、防漏壁６，６’に対して接合されていない。
【００２０】
本実施形態の生理用ナプキン１の防漏壁６，６’は、吸収体４の上方固定端６ａより上方に位置する部分が、着用者の肌から受ける圧力により柔軟に変形するため、良好な肌触りが得られる。
しかも、図４に示すように、着用者の肌Ｓからの圧力を受けて、防漏壁６，６’が大きく押し潰されても、防漏壁６，６’の下半部を、支持壁７，７’が面接して支持しているため、防漏壁６，６’の押し潰される程度が適度に抑制され、また、押し潰す力から開放されたときに、防漏壁６，６’が、図２に示すような元の状態に容易に復帰する。これにより、良好なフィット性が安定的に維持され、優れた漏れ防止性が得られる。また、支持壁７，７’も、上述したようなシート材７１から構成することにより、着用者に違和感を与えることも防止することができる。
【００２１】
特に、図５に示すように、生理用ナプキン（吸収性物品）の後方領域Ｂは、排泄部領域Ａに比して、着用時に湾曲する程度が大きくなるので、防漏壁６，６’の一部が押し潰されたときに、その周辺にシワや折れが生じ易い。防漏壁６，６’に、そのようなシワや折れが生じると、着用者の肌とのフィット性を低下させ、肌との間の隙間を介してモレが生じ易くなる等の不都合が生じる。
本実施形態の生理用ナプキン１においては、後方領域Ｂにおける防漏壁６，６’の外側に支持壁７，７’に設けてあるため、このような不都合を効果的に防止することができる。このように、少なくとも後方領域Ｂにおける防漏壁６，６’を、支持壁７，７’により支持させることが好ましい。
【００２２】
前記支持壁を形成するシート材７１は、長手方向の両端部が、生理用ナプキン１の長手方向の前後端部において、折り返された状態で接合されていることが好ましい。折り返された状態で接合することにより、製品を使用する際に生理用ナプキン１が湾曲することで、支持壁７，７’の折り返された７ｄから７ｃの領域部分が元の状態に戻る復元力により立ち上がり、後方領域Ｂおよび排泄部領域Ａにおけるシート材の前述した起立部分７ｂは、防漏壁６，６’を支えるように起立する効果が高くなる。尚、支持壁７，７’の起立部分７ｂは、防漏壁６，６’に対して接合されていない。前記支持壁を形成するシート材７１の起立部分７ｄから７ｃまでの距離は、後方領域Ｂおよび排泄部領域Ａのいずれか一方又は双方が生理用ナプキン１の長手方向の前後端部Ｃ，Ｄでの起立部分７ｄから７ｃの距離よりも長くなっていることが好ましい。
【００２３】
本実施形態の生理用ナプキン１においては、図３に示すように、排泄部領域Ａにおいても、防漏壁６，６’の下半部を支持壁７，７’によって支持してある。
排泄部領域Ａにも支持壁７，７’を設けることで、ナプキン１の長手方向における広い範囲において防漏壁のフィット性を向上させることができる。
【００２４】
但し、排泄部領域Ａにおいては、生理用ナプキン１の着用時に、ナプキン１に、幅方向両側から圧力が加わり易く、排泄部領域Ａに支持壁７，７’を設けた場合には、、防漏壁６，６’が、防漏壁６，６’が幅方向の内方に倒れ込みやすく、吸収可能な領域の幅が狭くなる等の不都合が生じることがある。
【００２５】
そのため、本実施形態の生理用ナプキン１においては、排泄部領域Ａにおける支持壁７，７’の起立基端７ｄを、後方領域Ｂにおける支持壁７，７’の起立基端７ｄより、生理用ナプキン１の幅方向の外方に位置させてある。これにより、排泄部領域Ａにおける防漏壁６，６’の倒れ込み及びそれによる吸収面積の低下を防止しつつ、防漏壁６，６’の肌に対するフィット性を排泄部領域Ａにおいても向上させることができる。
排泄部領域Ａと後方領域Ｂとで、いずれの起立基端７ｄが、吸収性物品の幅方向の外方に位置するかは、吸収体４の長手方向の側縁４３（図３参照）から起立基端７ｄまでの距離Ｌ１の大小で判断する。排泄部領域Ａにおける、吸収体側縁４３と起立基端７ｄとの間の距離Ｌ１（図３参照）は、後方領域Ｂにおける、吸収体側縁と起立基端７ｄとの間の距離Ｌ１（図２参照）より２〜３０ｍｍ、特に５〜１５ｍｍが大きいことが好ましい。尚、起立基端７ｄが、吸収体４の側縁４３より中央線ＣＬ側に位置する場合には、前記距離Ｌ１はゼロとする。
【００２６】
また、本実施形態の生理用ナプキン１においては、排泄部領域Ａにおける支持壁７，７’の高さが、後方領域Ｂにおける支持壁７，７’の高さより低くなっている。これにより、排泄部領域Ａにおける防漏壁６，６’の倒れ込み及びそれによる吸収面積の低下を防止しつつ、防漏壁６，６’の肌に対するフィット性を排泄部領域Ａにおいても向上させることができる。支持壁７，７’の高さは、起立基端７ｄから上端７ｃまでの、図３中に符号Ｔで示す高さである。
【００２７】
本実施形態の生理用ナプキン１においては、図３に示すように、排泄部領域Ａにおける、支持壁形成用のシート材７１に、折り返したシート材７１の対向面間を接合した折り返し接合部７５を設けることにより、排泄部領域Ａにおける支持壁７，７’の起立基端７ｄの位置を、後方領域Ｂにおける起立基端７ｄの位置よりも幅方向外方に位置させると共に、排泄部領域Ａにおける支持壁７，７’の高さを、後方領域Ｂにおける支持壁７，７’の高さよりも低くしてある。折り返したシート材７１の対向面間を接合する手段としては、任意の接合手段を用いることができ、例えば、接着剤、ヒートシール、超音波シール、高周波シール、これらの組み合わせ等を用いることができる。
【００２８】
尚、支持壁７，７’は、防漏壁６，６’の下半部に面接していれば良く、下半部を超えて、更に上方まで面接していても良い。但し、支持壁７，７’の上端７ｃは、ナプキン１の厚み方向（Ｚ方向）において、防漏壁６，６’の上端６Ｓより下方に位置することが好ましい。
また、防漏壁６，６’の下方固定端６ｂから支持壁７，７’の上端７ｃまでの高さＨ１は、該下方固定端６ｂから該防漏壁６，６’の上端６Ｓまでの高さＨ２の１０〜５０％、特に３０〜４０％であることが、防漏壁６，６’の潰れた状態からの回復性の向上及び防漏壁６，６’のナプキン幅方向内方への倒れ込み防止の点から好ましい。
【００２９】
本実施形態の生理用ナプキン１の形成材料について説明する。
上記表面シート２、上記裏面シート３及び上記吸収体４としては、生理用ナプキン等の吸収性物品に従来用いられているもの等を、特に制限なく用いることができる。例えば、表面シート２としては、液透過性の不織布や、開孔フィルム等を用いることができ、裏面シート３としては、樹脂フィルムや樹脂フィルムと不織布の積層体等を用いることができる。吸収体４としては、パルプ等の繊維材料の繊維集合体又はこれに高吸収性ポリマーを担持させたものからを、ティッシュペーパーや透水性の不織布等の被覆材で包んでなるもの等を用いることができる。
【００３０】
生理用ナプキン１においては、上述したように、防漏壁形成用の伸縮性シート６１として、実質的に非伸長性の２枚のシート６２，６３間に複数本の弾性部材６３を伸長状態で固定してなる複合シートを用いたが、防漏壁形成用の伸縮性シートとしては、これに代えて、多種多様な伸縮性シートを用いることができる。また、支持壁形成用のシート材７１としても、同様に、実質的に非伸長性の２枚のシート７２，７３間に複数本の弾性部材７４を伸長状態で固定してなる複合シートを用いたが、支持壁形成用のシート材としても、同様に、多種多様な伸縮性シートを用いることができる。
【００３１】
伸縮性シートとして用い得るシート材料としては、伸縮性のフィルム、不織布、織物またはそれらの積層シート等が挙げられる。具体的には、天然ゴム、ポリウレタン、ポリスチレン−ポリイソプレン共重合体、ポリスチレン−ポリブタジエン共重合体、アクリル酸エチル−エチレン等のポリエチレン−αオレフィン共重合体等からなる材自体が伸縮性を有する材料（フィルム、糸状物、不織布、織物）やこれら伸縮性の材料（弾性部材）と不織布等の積層物等が挙げられる。上記伸縮性フィルムは、表面シートよりも肌当接面側に使用する場合には、肌触りを良好にする為、及びヒートシール性や接着剤による固定性を向上する為に、ポリエチレン／ポリエステル、ポリエチレン／ポリプロピレン、ポリプロピレンからなる熱可塑性不織布と積層し、積層材として用いることが好ましい。この様な熱可塑性不織布は、不織布自身が伸縮性を有する様に、クリンプ加工した繊維を用いることが好ましく、伸び難いクリンプ加工していない不織布を積層する場合においては、積層する前にあらかじめ弾性部材のみを所定の伸張率まで伸張し、不織布材料とホットメルトやヒートシール等によって接着し、伸縮性を発現するシート材料とする様に作成してもよい。
【００３２】
支持壁を形成するシート材７１は、伸縮性を有しないシート材料としては、嵩高いシートを用いることもでき、該嵩高シートは、一枚の不織布あるいは二枚ないしは複数の不織布の積層体、又は不織布と樹脂フィルムとの複合体を用いてもよい。前記積層体あるは前記複合体においては、ホットメルトや熱シール等の公知の技術を用いて一体化される。
【００３３】
本発明は、上述した実施形態に制限されず、種々変更が可能である。
例えば、上述した生理用ナプキン１における防漏壁６，６’の下方固定端６ｂは、図２に示すように、伸縮性シート６１の長手方向の一側縁部６ｆを、吸収体４と裏面シート３の間において吸収体４に固定して形成されていたが、図６に示すように、伸縮性シート６１の長手方向の一側縁部６ｆを、ナプキン１の幅方向の外方に向かうように折り曲げた状態で、裏面シート３の延出部３１等に固定して形成されていても良い。
また、防漏壁６，６’の下方固定端６ｂは、図７に示すように、伸縮性シート６１の長手方向の一側縁部６ｆが、吸収体４上ではあるが、上方固定端６ａよりも下方に位置する部位に固定されて形成されていても良い。また、防漏壁６，６’の下方固定端６ｂは、図８に示すように、伸縮性シート６１の長手方向の一側縁部６ｆが、吸収体４の側面に固定されて形成されていても良い。
【００３４】
また、上記した生理用ナプキン１における防漏壁６，６’の上方固定端６ａは、図２に示すように、伸縮性シート６１の長手方向の一側縁部６ｄが、ナプキン１の幅方向の外方に向かうように折り曲げた状態で固定されて形成されていたが、これに代えて、図８に示すように、前記一側縁部６ｄが、ナプキン１の幅方向の内方に向かうように折り曲げた状態で固定されて形成されていても良い。
また、上述した生理用ナプキン１における上方固定端６ａは、伸縮性シート６１の長手方向の一側縁部６ｄを、吸収体４の肌当接面側の面を被覆する表面シート２上に接合して形成されていたが、これに代えて、該一側縁部６ｄを、吸収体４の肌当接面側の面に直接接合することもできる。
【００３５】
また、支持壁７，７’を、排泄部領域Ａ又は後方領域Ｂのみにおいて、防漏壁６，６’の下半部に面接させることもできる。
【００３６】
また、排泄部領域Ａにおける支持壁７，７’の起立基端７ｄの位置を、後方領域Ｂにおける起立基端７ｄの位置よりも幅方向外方に位置させる一方、排泄部領域Ａにおける支持壁７，７’の高さと、後方領域Ｂにおける支持壁７，７’の高さとを同じにすることもできる。また、排泄部領域Ａと後方領域Ｂとで、吸収体の側縁４３から支持壁７，７’の起立基端７ｄまでの距離Ｌ１を同じにする一方、排泄部領域Ａにおける支持壁７，７’の高さを、後方領域Ｂにおける支持壁７，７’の高さより低くすることもできる。
【００３７】
また、本発明の吸収性物品は、生理用ナプキン以外の吸収性物品であっても良く、例えば、失禁パッド、パンティライナー（下り物シート）等であっても良い。
上述した一の実施形態における説明省略部分及び一の実施形態のみが有する要件は、それぞれ他の実施形態に適宜適用することができ、また、各実施形態における要件は、適宜、実施形態間で相互に置換可能である。
【図面の簡単な説明】
【００３８】
【図１】本発明の一実施形態である生理用ナプキンを示す斜視図である。
【図２】図１に示す生理用ナプキンのＩＩ−ＩＩ線断面図である。
【図３】図１に示す生理用ナプキンのＩＩＩ−ＩＩＩ線断面図である。
【図４】図１に示す生理用ナプキンの防漏壁及び支持壁の変形状態を示す図（図２に対応する図）である。
【図５】図１に示す生理用ナプキンの着用時における湾曲状態を示す模式図である。
【図６】本発明の他の一実施形態である生理用ナプキンを示す断面図（図２相当図）である。
【図７】本発明の更に他の実施形態を示す模式断面図である。
【図８】本発明の更に他の実施形態を示す模式断面図である。
【符号の説明】
【００３９】
１  生理用ナプキン（吸収性物品）
２  表面シート
３  裏面シート
４  吸収体
５  吸収性本体
６，６’  防漏壁
６１  伸縮性シート
６ａ  上方固定端
６ｂ  下方固定端
７，７’  支持壁
８，８’  ウイング部
９，９’  防漏溝
Ａ  排泄部領域
Ｂ  後方領域
ＣＬ  生理用ナプキンの長手方向に延びる中心線
【図１】
2010094267.tif 000003
【図２】
2010094267.tif 000004
【図３】
2010094267.tif 000005
【図４】
2010094267.tif 000006
【図５】
2010094267.tif 000007
【図６】
2010094267.tif 000008
【図７】
2010094267.tif 000009
【図８】
2010094267.tif 000010